(57)【要約】      （修正有）【課題】大型の図柄表示装置を低コストで取り付けを可能とする弾球遊技機を提供する。【解決手段】遊技盤１０と、この遊技盤１０を収容保持する前枠２と、前枠２の背面を覆う裏セット盤９０と、図柄表示装置３０とを備える弾球遊技機ＰＭにおいて、遊技盤１０には透視領域ＳＡを形成し、裏セット盤９０の背面のブラケット部材５０に係合突起５７を設け、図柄表示装置３０に係合突起５７と係合する係合受け部３４を設け、裏セット盤９０の背面にブラケット部材５０を取り付け、ブラケット部材５０および図柄表示装置３０のいずれか一方に係合突起５７を設け、他方に係合突起５７と係合する係合受け部３４を設け、ブラケット部材５０を裏セット盤９０に取り付け、裏セット盤９０を前枠２の背面を覆う姿勢とし、係合突起５７と係合受け部３４とを係合させたときに、図柄表示装置３０の表示部３１ａを透視領域ＳＡを介して前面に臨ませる。【選択図】図４
2005305033.tif 000002
【特許請求の範囲】
【請求項１】
前面に遊技領域が形成される遊技盤と、
前記遊技盤を立設姿勢で収容保持する前枠と、
前記遊技盤の背面側に位置して常には前記前枠の背面を覆って配設される裏セット盤と、
遊技展開に応じた図柄を表示する図柄表示装置とを備える弾球遊技機において、
前記遊技領域内に位置して前面から背面側を視認可能とするための透視領域が形成され、
前記裏セット盤の背面にブラケット部材が着脱自在に取り付けられ、前記ブラケット部材および前記図柄表示装置のいずれか一方に係合突起が設けられ、他方に前記係合突起と係合する係合受け部が設けられ、
前記ブラケット部材が前記裏セット盤に取り付けられ、前記裏セット盤を前記前枠の背面を覆う姿勢とし、前記係合突起と前記係合受け部とを係合させて、前記図柄表示装置の表示部が前記透視領域を介して前面に臨むように配設されることを特徴とする弾球遊技機の表示装置取付機構。
【発明の詳細な説明】
【技術分野】
【０００１】
本発明は、前面に遊技領域が形成された遊技盤と、遊技盤を立設姿勢で収容保持する前枠と、遊技盤の裏面側に位置して常には前枠の背面側を覆って配設される裏セット盤とを備えた弾球遊技機の表示装置取付機構に関する。
【背景技術】
【０００２】
上記弾球遊技機の一例としてパチンコ機がある。パチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、発射装置により遊技領域上部に導いた遊技球を落下させる過程で遊技領域内に設けた入賞具に入賞させる遊技を行うように構成されている。
【０００３】
遊技盤は、ルータ加工等を施した矩形状のベニヤ板に所定の図柄を印刷したセルを貼り付けて形成された化粧板を基板として構成され、化粧板の前面に遊技球を導くレールを取り付けて略円形状の遊技領域が区画形成されている。遊技領域内には、多数の遊技釘、入賞具等が取り付けられるとともに、略中央部に設けられた開口部の周縁に飾り体が取り付けられており、この開口部内に遊技展開に応じた図柄を表示させて遊技性を高めるための図柄表示装置が例えば液晶パネル等の表示部を前面に臨ませて配設されている。
【０００４】
遊技盤の背面には、ケースに表示器、制御基板等を収容して構成される図柄表示装置が背面側に突出して取り付けられる。このため、突出するケースと前枠の背面に取り付けられる裏セット盤との干渉を避けるために裏セット盤には略矩形状の開口部が設けられており、図柄表示装置を開口部内に収容するように形成されている。また一般的に図柄表示装置は、ケース後端面の面積が、前端面を形成する表示器の表示部の面積よりも大きく構成されている（例えば、特許文献１）。
【０００５】
また、遊技盤はパチンコ機の機種ごとに付与された遊技テーマを表現するために、セルに印刷される図柄、遊技領域に取り付けられる飾り体等に機種ごとの特徴を有したデザインが創作される。このため機種の変更にあっては、遊技球の処理機構が設けられる前枠や裏セット盤、あるいは外郭を形成する枠部材などは再利用が可能である一方、遊技盤の着脱交換作業（いわゆる「盤面替え」）は必要不可欠なものとなっている。
【特許文献１】特開２００３−８１４１１号公報（第３，４頁、第３〜８図）
【発明の開示】
【発明が解決しようとする課題】
【０００６】
ところで、近年のパチンコ機においては、図柄表示装置の表示部サイズが大型化しており、これに付随して大型の表示部を活かした高度な遊技演出を行うために図柄制御基板も大型化の傾向にある。しかしながら、図柄表示装置及び図柄制御基板の大型化にはこれらを取り付ける球寄せカバーの大型化を必要とする一方で、遊技盤背面と対峙する裏セット盤前面には上述のように遊技球の経路機構が設けられていることから球寄せカバーには裏セット盤との干渉を避けるための設計制限が大きく、従来の取付機構では図柄表示装置の大型化傾向に対応した設計が困難となっているという問題があった。
【０００７】
また、背面に突出する図柄制御基板が大型化してそれを収容するケース体が大型化すると、裏セット盤に設けられる開口部を大型化する必要がある。さらに、裏セット盤と前枠とをヒンジ機構を介して組み付ける形態のパチンコ機においては、裏セット盤の開閉作動時における開口の辺縁部とケース体の外郭との干渉を避けるため、ケース体の寸法よりも開閉方向（横方向）に大きく開口形成する必要がある。このため、従来の取付機構においては、図柄制御基板の大型化に伴う裏セット盤の開口部の拡大により、裏セット盤に配設される他の機構、装置等の配設自由度が制限されるという問題、あるいは開閉方向にさらに開口するための設計余裕が失われて裏セット盤をヒンジ機構を介した組付形態で構成することが困難となるといった問題があった。また、図柄制御基板を小型化すると演出高度性が低下して遊技性が失われる虞があり、高密度実装をさらに向上させることによって演出高度性を保つとすると、回路からの発熱がより顕著になって回路の誤作動を引き起こす虞が高まるといった新たな問題が生じる。
【０００８】
また、パチンコ機の図柄表示装置の表示器として一般的に用いられている液晶パネルは概ね１万時間から５万時間程度のバックライト寿命を有しており、遊技施設での使用日数にして２年以上の稼動を可能とする計算となる。しかしながら一方で、遊技施設においては限られたスペース内での遊技サービスの提供にあたって人気機種および新機種の設置優先性が極めて高い状態にあり、一般的なパチンコ機において３〜６ヶ月程度で更新を余儀なくされる現状にある。このような事情から、機種の変更に伴う盤面替えのときに、寿命を充分に残した液晶パネルが遊技盤とともに廃棄され、機種ごとに新品の液晶パネルを取り付けて遊技盤が製造されており、パチンコ機の製造コストが高くなる一因として問題となっていた。
【０００９】
以上の問題に鑑みて本発明は、大型の図柄表示装置の取り付けを可能とするとともに、製造コストを抑えることを可能とする弾球遊技機を提供することを目的とする。
【課題を解決するための手段】
【００１０】
上記目的達成のため、前面に遊技領域が形成される遊技盤と、この遊技盤を立設姿勢で収容保持する前枠と、遊技盤の背面側に位置して常には前枠の背面を覆って配設される裏セット盤と、遊技展開に応じた図柄を表示する図柄表示装置とを備える弾球遊技機において、遊技領域内に位置して前面から背面側を視認可能とするための透視領域を形成し、裏セット盤の背面に着脱自在に取り付けられるブラケット部材に係合突起を突出して設け、図柄表示装置に係合突起と係合する係合受け部を設け、裏セット盤の背面にブラケット部材を着脱自在に取り付け、ブラケット部材および図柄表示装置のいずれか一方に係合突起を設け、他方に係合突起と係合する係合受け部を設け、ブラケット部材を裏セット盤に取り付け、裏セット盤を前枠の背面を覆う姿勢とし、係合突起と係合受け部とを係合させたときに、図柄表示装置の表示部を透視領域を介して前面に臨ませるように配設している。
【発明の効果】
【００１１】
本発明に係る弾球遊技機の表示装置取付機構は、従来は遊技盤背面側の球寄せカバーに取り付けられていた図柄表示装置を裏セット盤に取り付ける構成としている。このような構成により、従来は裏セット盤との干渉を回避するための設計制限によって球寄せカバーの大型化に限界があったことから困難とされていた図柄表示装置の大型化を行うことができる。さらに、図柄表示装置を背面側から取付可能であるため、表示器の背面に突出するケース体を収容するために裏セット盤に設けられていた開口部は、少なくとも表示器を遊技盤前面に臨ませるための大きさで形成されていればよく、裏セット盤に設けられる他の機構、装置の配設自由度を増すことができる。さらに、裏セット盤をヒンジ機構を介した組付形態で構成するための設計余裕が形成されるため、大型の図柄表示装置を取り付けることができるとともに取扱性の高い弾球遊技機を提供することができる。
【００１２】
また、従来は機種の変更のときに着脱交換される遊技盤に取り付けていた図柄表示装置を、旧機種から新機種に流用可能な裏セット盤に取り付けていることから、新機種の遊技盤に新品の図柄表示装置を都度取り付けて製造する必要がなくなる。このため、寿命に照らし合わせた図柄表示装置の使用が可能となって製造コストを抑えた弾球遊技機を提供することができる。
【００１３】
さらに、図柄表示装置は取付具である係合突起および係合受け部のいずれか一方を設けたブラケット部材を介して裏セット盤に取り付けられる構成としている。このため、例えば、機種の変更に伴う盤面替えに応じて液晶パネルの大きさの変更が必要となった場合においても、係合突起および係合受け部のいずれか一方の配設位置を変更したブラケット部材を製作することによって、サイズの大小に関わらず図柄表示装置の取り付けに対応することができるため、機種の変更に伴って図柄表示装置の表示器、制御基板等のサイズが変更されたとしても、裏セット盤の背面側での取り付けを可能とする弾球遊技機を提供することができる。
【発明を実施するための最良の形態】
【００１４】
以下、本発明を実施するための形態について図面を参照しながら説明する。本実施形態では、本発明に係る表示装置取付機構を適用した弾球遊技機としてパチンコ機を例示し、まず図１，図２を参照してパチンコ機ＰＭの全体構成について概要説明する。
【００１５】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構により前方に横開き開閉及び着脱が可能に取り付けられ、正面右側に設けられたダブル錠と称される施錠装置７を利用して常には外枠１と係合連結された閉止状態に保持される。
【００１６】
前枠２の表側（前面側）には、上部に前枠２の前面域に合わせた方形状のガラス扉３が、下部に球皿４が、それぞれ正面左側に設けられたヒンジ機構で横開き開閉及び着脱可能に取り付けられ、正面右側に設けられた施錠装置７および球皿施錠装置（図示せず）を利用して常には前枠２の前面を覆う閉止状態に保持される。また、球皿４の右側下部には、遊技球の発射操作を行う発射ハンドル５が取り付けられている。
【００１７】
ガラス扉３の背後に位置する前枠上部には、方形枠状の収容部２ａが前枠２に一体に設けられており、この収容部２ａに設けられた遊技盤係止具８を利用して遊技盤１０が前面側から着脱可能に立設保持されてガラス扉３を通して視認可能となっている。なお、本実施例においては遊技盤係止具８を収容部２ａに具備して前面側から遊技盤１０を取付可能に構成しているが、収容部を背面側に設けて遊技盤を背面側において取付可能な構成としてもよい。
【００１８】
遊技盤１０は、ルータ加工等を施した矩形状の積層合板に、所定の図柄が印刷されたセルを貼り付けて成型される化粧板１１を基体として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４，１５が形成される。遊技領域ＰＡの内側には多数本の遊技釘とともに風車１６、各種の入賞具１７、表示装置飾り体１８等の遊技構成部品が取り付けられ、下端部においては入賞具１７に入賞することなく遊技領域ＰＡを転動落下した遊技球を回収するためのアウト口１９が設けられる。また、遊技盤１０の背面側には、入賞具に入賞した遊技球を案内する経路を備えた球寄せカバー（図示せず）が設けられる。
【００１９】
また、表示装置飾り体１８は、ＮＣルータ加工機等によって穿設加工された遊技領域ＰＡの略中央部の開口縁部を装飾するように周設されるとともに化粧板１１の背面側に若干突出するように設けられる（図４を併せて参照）。このようにして設けられる表示装置飾り体１８に囲まれる内側には横長方形窓枠状の透視領域ＳＡが形成されて遊技盤１０の背面側を前面側から透視可能となっており、この透視領域ＳＡ内において遊技の展開状況に応じた図柄を表示させる図柄表示装置３０（図４を併せて参照）の表示器３１が表示部３１ａを前面に臨ませて配設されている。
【００２０】
前枠２の背面側には、外枠１の内寸サイズよりも幾分小さめの矩形枠状に形成された裏セット盤９０が、互いの背面右側に配設され、前後方向にスライドさせて開閉作動可能に構成されたヒンジ機構６ａ，６ｂにより横開き開閉および着脱可能に取り付けられ、背面各部に設けられた裏セット盤係止具９を用いて常には前枠２の背面を覆う閉鎖状態に保持される。裏セット盤９０には、遊技球を貯留する球貯留タンク９１、球貯留タンクから供給された遊技球を整列させて流下させるタンクレール９２、球圧を軽減して遊技球を下方に流下させるＳ字レール９３、入賞状態等に基づいて遊技球を払い出す球払出装置９４、球払出装置９４から払い出された遊技球を球皿４に導く球払出通路９５等の遊技球の処理機構が設けられている。
【００２１】
また、裏セット盤９０の背面には、制御装置、電子部品に電力を供給する電源ユニット４１、パチンコ機ＰＭの作動を統括的に制御する主制御装置４２、効果照明、効果音等の遊技演出の制御を主に行うサブ制御装置４３、遊技球の払出作動を制御する球払出制御装置４４、遊技施設側と信号の入出力を行う外部中継端子基板４５等の各種制御装置、回路基板等の電子部品が取り付けられており、これらが図示しないコネクタケーブルで接続されてパチンコ機ＰＭが作動可能に構成される。
【００２２】
パチンコ機ＰＭは、ガラス扉３、球皿４、裏セット盤９０等が閉鎖施錠された状態で遊技に供され、球皿４に遊技球を貯留させて発射ハンドル５を回動操作することにより遊技が開始される。発射ハンドル５が回動操作されると、球皿４に貯留された遊技球が、球皿４の背面側に配設される遊技球発射装置により１球ずつ遊技領域ＰＡに打ち出され、パチンコゲームが展開される。
【００２３】
このように概要構成されるパチンコ機ＰＭにあって、本発明においては表示器３１を備える図柄表示装置３０が裏セット盤９０に取り付けられて構成される。以下、この図柄表示装置３０の取付機構１００について、図３，図４を併せて参照して説明する。
【００２４】
図柄表示装置３０は、前後のケース半体３３ａ，３３ｂを組み付けて収容空間を形成するケース体３３に、例えば液晶パネル等による矩形状の表示部３１ａを備える表示器３１、表示器３１の背面側に設けられて遊技展開に応じた図柄を表示するための制御を行う表示制御基板（図示せず）を収容して構成されている。また、このケース体３３には効果音等の演出制御を行うサブ制御基板３２等も併せて収容されており、図柄表示装置３０と上述したサブ制御装置４３とが一体に構成されている。なお、図３，図４に示すように、後ケース半体３３ｂの後方突出端面の面積は、表示器の表示部３１ａの面積よりも大きく形成されている。
【００２５】
この図柄表示装置３０を構成する前ケース半体３３ａの左右４箇所には、それぞれ外方に突出して係合受け具３４が設けられている。係合受け具３４には円筒状に形成される受容溝３４ａが設けられており、受容溝３４ａにはネジ孔３４ｂが穿設されている。
【００２６】
ここで、裏セット盤９０には、閉止姿勢としたときに少なくとも遊技盤１０の透視領域ＳＡと対峙する位置に略矩形状の開口が形成されており、裏セット盤９０の背面には、この開口部９０ａの側縁部４箇所に円錐台形状の係合突起９７が後方に突出して一体に設けられている。この係合突起９７は、突端部９７ａが円柱状に突出して形成されるとともにネジ受け孔９７ｂが設けられている。また、円柱状に形成される係合突起の突端部９７ａの外径と円筒状に形成される係合受け具の受容溝３４ａの内径とは、ほぼ同一寸法で形成されるとともに、突端部２７ａの配設間隔と受容溝３４ａの配設間隔が同長に設けられている。
【００２７】
このような取付機構１００を有したパチンコ機ＰＭは、図柄表示装置３０に設けられた係合受け具の受容溝３４ａを裏セット盤９０の背面に一体に設けた係合突起の突端部９７ａに係合させるとともに、ネジ孔３４ｂからネジ受け孔９７ｂにネジを螺合させ、前後方向にスライド可能に構成されたヒンジ機構６ａ，６ｂを後方にスライドさせた状態で開放姿勢から閉鎖姿勢として前ケース半体３３ａを裏セット盤の開口部９０ａに収容させ、前方に裏セット盤９０をスライドさせることにより、表示器３１の表示部３１ａの端面が遊技盤１０の後方側に突出する矩形状の透視領域ＳＡと略整合して前面に臨んだ状態となる。なお、組付順序は上記のものに限られず、例えば裏セット盤９０を閉止姿勢とした後に図柄表示装置３０の係合受け部３４と係合突起９７とを係合させてもよい。
【００２８】
このように、本発明に係る表示装置取付機構１００は、従来の取付機構のように球寄せカバーに取り付ける形態ではないため、従来は裏セット盤との干渉を回避するための設計制限によって球寄せカバー自体の大型化に限界があったことから困難であった図柄表示装置の大型化を行うことが可能となる。さらに、図柄表示装置３０を裏セット盤９０の背面側から取付可能であるため、表示器３１の背面側に突出するケース体３３を収容するために裏セット盤９０に設けられる開口部９０ａが少なくとも表示器３１の表示部３１ａを透視領域ＳＡで前面に臨ませることのできる大きさで形成されていればよい。このように、開口部９０ａの面積を縮小できることから、裏セット盤９０に設けられる他の機構、装置の配設自由度を向上させることができる。さらに、ヒンジ機構を取り付けるために設けられる開閉方向への余分な開口を形成する余裕ができるため、裏セット盤９０をヒンジ機構を介して前枠２に組み付けることができ、大型の図柄表示装置を取付可能であるとともに取扱性の高いパチンコ機を提供することができる。
【００２９】
また、本発明に係る表示装置取付機構１００は、機種の変更に伴って取替作業を必要としない裏セット盤９０に一体に設けた係合突起９７を介して図柄表示装置３０を取り付ける構成であるため、従来は遊技盤１０に取り付けられて盤面替えの際に寿命を残したままで廃棄されることが一般的であった表示器３１を寿命に照らし合わせて利用することができ、新機種の遊技盤製作に当たって新品の表示器を都度取り付ける必要がなくなることから、製造コストを抑えたパチンコ機を提供することができる。
【００３０】
また、４つの係合突起９７を裏セット盤９０に一体に設ける構成としたが必ずしもこの形態に限られず、４つ以上の係合突起を設けて構成してもよい。このように構成することにより、例えば機種の変更に伴って表示器、図柄制御基板を収容するケース体３３のサイズが変更して係合受け部３４の配設間隔が変更されるようなことがあっても、取り付ける係合突起を選択変更することによって係合突起の配設間隔も合わせて変更することが可能となり、図柄表示装置３０の裏セット盤背面側からの取り付けに対応することができる。
【００３１】
続いて、他の構成例による本発明に係る弾球遊技機の表示装置取付機構について、図５を参照して説明する。本構成による取付機構１５０の概略を説明すると、裏セット盤９０に着脱可能にブラケット５０を取り付け、このブラケット５０に設けた係合突起５７と図柄表示装置３０に設けた係合受け具３４とを係合させるものである。なお、本構成を適用する弾球遊技機の全体構成は上記実施例のパチンコ機ＰＭと同様であり、また、図柄表示装置３０の構成においても上記実施例と同様であるため、同一部分については同一符号を付すものとして重複部分の説明は省略する。
【００３２】
裏セット盤９０は、閉止姿勢としたときに少なくとも遊技盤１０の透視領域ＳＡと対峙する位置において前面側にオフセット形成されており、このオフセットにより形成される凹部に矩形状の開口部９０ａが設けられている。さらに、この開口部９０ａにおける背面側の両側縁部のそれぞれに矩形枠状のリブ９８が後方に突出して設けられており、このリブ９８に囲まれて収容空間９０ｂが同形状で形成されている。また、リブ９８の突出辺縁は楔状に形成されて係止爪９９が周設されている。
【００３３】
このようにして設けられる両収容空間９０ｂのそれぞれに、同形状に形成されるブラケット５０，５０が取り付けられる。ブラケット５０は、矩形状の平板部５１にリブ９８の突出高さに合わせた折返部５２が設けられて形成される。それぞれのブラケット５０の平板部５１には、縦方向に並ぶ２箇所において円錐台形状の係合突起５７が突出して一体に設けられている。この係合突起の突端部５７ａは、上記実施例の係合突起９７と同様に、円柱状に突出するように形成されるとともにネジ受け孔５７ｂが設けられており、突端部５７ａの外径と係合受け具の受容部３４ａの内径とがほぼ同一寸法で形成される。
【００３４】
このようなブラケット５０をリブ９８により形成される収容空間９０ｂに嵌め込むと、折返部５２の端部が裏セット盤９０の背面に当接するとともに、平板部５１がリブ９８の突出辺縁に設けられた係止爪９９によって係止されることによって裏セット盤９０に係止保持される。また、平板部５１に設けられた係合突起５７が裏セット盤９０の背面側に突出した状態となる。なお、両側の収容空間９０ｂおよび収容空間のそれぞれに嵌め込まれるブラケット５０はいずれも同形状で形成されているため、ブラケット５０は左右を選択自由として収容空間９０ｂに取り付けることができる。
【００３５】
このように構成される取付機構１５０においては、ブラケット５０を開口部９０ａの両側に設けられた収容空間９０ｂに係止保持させ、図柄表示装置３０に設けられた係合受け具の受容部３４ａをブラケット５０に一体に設けられた係合突起の突端部５７ａに係合させてネジ孔３４ｂからネジ受け孔５７ｂにネジを螺合させ、裏セット盤９０を後方にスライドさせた状態として開放姿勢から閉鎖姿勢として前ケース半体３３ａを裏セット盤に設けられた開口部９０ａに収容させ、裏セット盤９０を前方にスライドさせることにより、図３，図４に示した上記実施例と同様にして、表示器３１の表示部３１ａを矩形状の透視領域ＳＡと略整合して前面に臨んだ状態となって図柄表示装置３０が裏セット盤９０の背面側から取り付けられる。なお、上述実施例の取付機構１００と同様にして組付順序は上記のものに限られず、例えば裏セット盤９０を閉止姿勢とした後にブラケット５０を収容空間９０ｂに保持させて図柄表示装置の係合受け部と係合突起５７とを係合させてもよい。
【００３６】
このように本構成の取付機構１５０は、上記実施例と同様にして図柄表示装置３０を裏セット盤９０の背面側から取付可能としているため、従来よりも大型の図柄表示装置を取り付けることができ、裏セット盤９０に配設される他の機構あるいは装置の配設自由度が向上し、裏セット盤９０をヒンジ機構を介して前枠２に組付可能であることから取扱性の高いパチンコ機を提供することができ、表示器を寿命に照らし合わせて利用可能であることから製造コストを抑えることができる等の同様の効果を得ることができる。
【００３７】
なお、本構成の取付機構１５０は、図柄表示装置３０を遊技盤１０あるいは裏セット盤９０に直接取り付けるものではなく、間接部材としてのブラケット５０に取り付けるように構成している。このため、図５に実線で示す係合突起５７，５７の配設間隔をＬとする本実施例に適用したブラケット部材５０、あるいは二点鎖線で示す係合突起５７’，５７’の配設間隔をＬ’とするブラケット部材５０’など、平板部５１、折返部５２等の外形寸法を同一とするとともに係合突起５７の配設間隔を異としたブラケットを製作することにより、機種の変更に伴って表示器、図柄制御基板等を収容するケース体３３のサイズが変更して係合受け部３４の配設間隔が変更されても、配設間隔が最適のブラケットを裏セット盤９０に取り付けることで容易に対応することができる。このように、本構成の取付機構１５０においては種々のサイズの図柄表示装置３０の取付が可能となる。
【００３８】
上記各実施例においては、係合突起を裏セット盤９０あるいはブラケット５０の平板部５１に一体に設けて構成したが、それぞれの構成例においてこの係合突起を可動として構成する形態をとってもよい。図６〜図８にブラケットを用いた取付機構において係合突起を可動とした構成例について図示しており、以下、これらの図面を参照してブラケットを用いた場合における構成変更例の取付機構１６０，１７０について説明する。なお、これら変更例の取付機構１６０，１７０においても同一部材には同一符号を付して重複説明を省略する。
【００３９】
まず、図６，図７を参照して係合突起を可動とする一構成例について説明する。図６，図７に示す取付機構１６０のブラケット６０，６０は、外形を上記実施例のブラケット５０と同一寸法で形成され、平板部６１、折返部６２が同様にして形成されている。また、平板部６１には、縦横方向に延びて形成され略目の字状のガイド溝６１ａが貫通して設けられている。そして、外形が上記実施例の係合突起９７，５７と同様の円錐台形状に形成されるとともに底面にネジ受け孔６７ｃを設けた係合突起６７が、平板部６１の裏面からガイド溝６１ａを介してネジ止めされてガイド溝６１ａ上に位置固定される。また、係合突起の突端部６７ａは、上記実施例と同様にネジ受け孔６７ｂを有した円柱形状で形成され、外径が受容溝３４ａの内径とほぼ同一寸法で形成される。
【００４０】
このブラケット６０を上記実施例と同様にして、開口部９０ａの両側に配設される矩形枠状のリブ９８によって形成される収容空間９０ｂに嵌め込み、係止爪９９によって係止保持させると、平板部６１に設けられた係合突起６７が裏セット盤９０の背面側に突出した状態となる。この係合突起の突端部６７ａに図柄表示装置に設けられた係合受け具の受容溝３４ａを係合させるとともにネジ孔３４ｂからネジ受け孔６７ｂにネジを螺合させ、裏セット盤９０を後方にスライドさせた状態で閉鎖して前ケース半体３３ａを裏セット盤９０に設けた開口部９０ａに収容し、前方にスライドさせて表示器３１の表示部３１ａを透視領域ＳＡと略整合させて前面に臨ませた状態とする。なお、この組付順序は上述した取付機構１５０と同様にして上記のものに限られない。また、上述した取付機構１５０と同様に、ブラケット６０は左右選択自由に収容空間９０ｂに取り付けることができる。
【００４１】
本構成においても、図柄表示装置３０が裏セット盤９０に背面側から取り付けられることによる同様の効果を得ることができる。また、本構成においては、係合突起６７をガイド溝６１ａに沿ってスライドさせることができる。このため、ガイド溝６１ａの延びる範囲内において任意の位置で係合突起６７を固定することができることから、係合突起６７を無段階的に縦横方向に調整することが可能となる。従って、機種の変更に伴って図柄表示装置３０のサイズが変更され、係合受け具３４の配設間隔が拡大あるいは縮小される場合においても、例えば図７に実線及び二点鎖線で示すように、ガイド溝６１ａに沿って係合突起６７の配設間隔を縦横方向に調整することにより、図柄表示装置３０の裏セット盤背面側からの取り付けに対応することができる。
【００４２】
続いて、図８を参照して係合突起を可動とする他の構成例の取付機構１７０を説明する。図８に示すブラケット７０，７０も、前述のブラケット５０，６０と同様の外形寸法によって、平板部７１、折返部（図示せず）が形成される。平板部７１においては、縦横方向にマトリクス状に並んでガイド孔７１ａ，７１ａ，…が貫通して設けられている。そして、上述実施例における係合突起６７と同形状の係合突起７７が、平板部７１の裏面からネジ止めされてガイド孔７１ａ上に位置固定される。
【００４３】
このブラケット７０を上記実施例と同様にして、開口部９０ａの両側に配設される収容空間９０ｂに嵌め込んで係止保持させ、係合突起の突端部７７ａに図柄表示装置に設けられた係合受け具の受容溝３４ａを係合させるとともにネジ孔３４ｂからネジ止めし、裏セット盤９０を後方にスライドさせた状態で閉鎖して前ケース半体３３ａを裏セット盤９０に設けた開口部９０ａに収容し、前方にスライドさせて表示器３１の表示部３１ａを透視領域ＳＡと略整合させて前面に臨ませた状態とする。なお、この組付順序は上述した取付機構１５０，１６０と同様にして上記のものに限られない。また、上述した取付機構１５０，１６０と同様に、ブラケット７０は左右選択自由に収容空間９０ｂに取り付けることができる。
【００４４】
このような本構成においても、図柄表示装置３０が裏セット盤９０に背面側から取り付けられることによる同様の効果を得ることができる。また、本構成においては、係合突起７７を取り付けるガイド孔７１ａ，７１ａ，…の箇所を選択することにより、係合突起７７の配設間隔をガイド孔７１ａの穿設間隔に応じて、多段階的に縦横方向に調整することができる。従って、上記実施例と同様に、機種の変更に伴って図柄表示装置３０の係合受け具３４の配設間隔に変更がある場合においても、位置固定するガイド孔７１ａを選択することにより係合突起７７の配設間隔を縦横方向に調整することにより、図柄表示装置３０の裏セット盤背面側からの取り付けに対応することができる。
【００４５】
また、図６〜図８において説明した構成については、ブラケットを使用した場合においてのみの適用に限られない。例えば、裏セット盤９０に、上記実施例のガイド溝６１ａと同様にして略目の字状に形成する溝を貫通して設けて係合突起をこの溝に取り付けることによっても構成可能であり、裏セット盤９０に上記実施例のガイド孔７１ａと同様にして縦横方向に並ぶマトリクス状の孔を穿設して係合突起をこの孔に取り付けることによっても同様にして構成可能であり、同様の効果を得ることができる。
【００４６】
なお、ガイド溝６１ａは図６に示す形態に限られない。即ち、図示するように連通するように溝を形成させる必要はなく、また、縦横方向に延びる溝の本数をより多く、あるいは少なく設定して形成してもよい。同様にしてガイド孔７１ａの穿設個数、穿設間隔などにおいても図８に示す形態に限られず、複数の貫通孔を設けて係合突起の配設間隔を変更可能な形態であればどのように形成してもよい。
【００４７】
なお、上記各実施例においては、係合突起を裏セット盤９０の背面に設け、係合突起に係合す係合受け部を図柄表示装置３０のケース半体３３をから外方に突出するように設けているが、必ずしもこの形態に限らず、図柄表示装置３０を裏セット盤９０の背面側から取り付けられる構成であればよく、係合突起と係合受け部の配設位置を上記実施例とは逆にして構成してもよい。このように構成しても、上記各実施例と同様にして図柄表示装置３０を取り付けることができ、同様の効果を得ることができる。
【００４８】
また、裏セット盤９０をヒンジ機構６ａ、６ｂを介して横開き開閉、および着脱可能に前枠に組み付ける形態をとることにより取扱性を高める構成としたが、裏セット盤係止具９のみを用いて係止保持することにより組み付ける形態をとったパチンコ機に本発明に係る表示装置取付機構を適用しても、大型の図柄表示装置の取付、図柄表示装置の寿命に照らし合わせた利用ができるなどの同様の効果を得ることができる。
【００４９】
なお、上記各実施形態において、本発明に係る表示装置取付機構を適用した弾球遊技機としてパチンコ機を例示したが、アーケードゲーム機、スマートボール機についても、本実施形態のように図柄表示装置を備えて遊技盤の背面側に他の機構盤、機構枠体等を有して構成される弾球遊技機であれば、同様に適用して同様の効果を得ることが可能である。
【図面の簡単な説明】
【００５０】
【図１】本発明に係る弾球遊技機の一例として示すパチンコ機のガラス扉を開放して示す正面図である。
【図２】上記パチンコ機の背面図である。
【図３】裏セット盤及び図柄表示装置の側面図である。
【図４】上記パチンコ機の側断面図である。
【図５】変更例における裏セット盤の断面図である。
【図６】変更例における裏セット盤の一部を示すパチンコ機の背面図である。
【図７】図６に示す変更例の側断面図である。
【図８】変更例における裏セット盤の一部を示すパチンコ機の背面図である。
【符号の説明】
【００５１】
ＰＭ  パチンコ機
ＰＡ  遊技領域
ＳＡ  透視領域
１  外枠
２  前枠
（２ａ  収容部）
１０  遊技盤
１８  表示装置飾り体
３０  図柄表示装置
３１  表示器
（３１ａ  表示部）
３４  係合受け部
４３  サブ制御装置
５０，６０，７０  ブラケット
６１ａ  ガイド溝、７１ａ  ガイド孔
５７，６７，７７  係合突起
９０  裏セット盤
（９０ａ  開口部、９０ｂ  収容空間）
９７  係合突起
（９７ａ  突端部、９７ｂ  ネジ受け孔）
９８  リブ
９９  係止爪
１００，１５０，１６０，１７０  表示装置取付機構
【図１】
2005305033.tif 000003
【図２】
2005305033.tif 000004
【図３】
2005305033.tif 000005
【図４】
2005305033.tif 000006
【図５】
2005305033.tif 000007
【図６】
2005305033.tif 000008
【図７】
2005305033.tif 000009
【図８】
2005305033.tif 000010